(57)【要約】      （修正有）【課題】折り畳むことができる包装体を提供する。【解決手段】包装体は、厚さ０．１７ｍｍ以下のシート状に切り出された複数の天然木シートを重ねて周縁部で互いに縫合して、手提げ袋１００の形状に組み上げられる。天然木シートの縫合には、天然繊維からなる糸が用いられ、その縫い目は、天然木シートの木目に対して斜め方向に配置されている。【選択図】図２
0003227188.tif 000002
【実用新案登録請求の範囲】
【請求項１】
厚さ０．１７ｍｍ以下のシート状に切り出された天然木シートにより構成された包装体。
【請求項２】
複数の前記天然木シートを互いに縫合して、エコバックの形状に組み上げられている
請求項１に記載の包装体。
【請求項３】
複数の前記天然木シートが、周縁部で互いに縫合されて、書類ホルダーの形状に組み上げられている
請求項１に記載の包装体。
【請求項４】
前記天然木シートの縫合には、天然繊維からなる糸が用いられている
請求項２又は３に記載の包装体。
【請求項５】
前記天然木シートの厚さは、０．１３ｍｍ〜０．１５ｍｍである
請求項２又は３に記載の包装体。
【請求項６】
縫合の縫い目は、前記天然木シートの木目に対して斜め方向に配置されている
請求項２又は３に記載の包装体。
【考案の詳細な説明】
【技術分野】
【０００１】
本考案は、包装体に関するものである。
【背景技術】
【０００２】
例えば、特許文献１には、その表面および／または裏面から柔軟剤が含浸されて柔軟に形成されてなる天然木薄板と、前記天然木薄板の柔軟性を確保しつつ補強するため、前記天然木薄板の裏面に形成される補強材層とを備える生地であって、前記補強材層は、少なくとも前記天然木薄板の柔軟性を阻害しない接着剤で、柔軟な補強材を前記天然木薄板の裏面に接着して形成される、生地が開示されている。
また、特許文献２には、天然木の極薄突き板の裏面に裏打ちシートを接着しており、
厚さが０．０５〜０．１ｍｍである前記極薄突き板の道管内に色素含有樹脂を浸透させていることを特徴とする天然木薄紙が開示されている。
【先行技術文献】
【特許文献】
【０００３】
【特許文献１】ＷＯ００／５９６９４号公報
【特許文献２】特開２０１８−１５８５４２号公報
【考案の概要】
【考案が解決しようとする課題】
【０００４】
本考案は、折り畳むことができる包装体を提供する。
【課題を解決するための手段】
【０００５】
本考案に係る包装体は、厚さ０．１７ｍｍ以下のシート状に切り出された天然木シートにより構成されている。
【０００６】
好適には、複数の前記天然木シートを互いに縫合して、エコバックの形状に組み上げられている。
【０００７】
好適には、複数の前記天然木シートが、周縁部で互いに縫合されて、書類ホルダーの形状に組み上げられている。
【０００８】
好適には、前記天然木シートの縫合には、天然繊維からなる糸が用いられている。
【０００９】
好適には、前記天然木シートの厚さは、０．１３ｍｍ〜０．１５ｍｍである。
【００１０】
好適には、縫合の縫い目は、前記天然木シートの木目に対して斜め方向に配置されている。
【考案の効果】
【００１１】
本考案によれば、折り畳むことができる。
【図面の簡単な説明】
【００１２】
【図１】木製合成シート１の断面を例示する図である。
【図２】木製合成シート１を用いた手提げ袋１００である。
【図３】木製合成シート１を用いた書類整理ファイル２００である。
【考案を実施するための形態】
【００１３】
図１は、木製合成シート１の断面を例示する図である。
図１に例示するように、木製合成シート１は、木製シート１０と、柔軟性基材２０とを有する。なお、木製シート１０と柔軟性基材２０との間は、接着剤により接着されている。接着剤は、特に限定するものではないが、木製シート１０の柔軟性を阻害しないものであることが望ましい。
【００１４】
木製シート１０は、天然木を薄くスライスしてシート状に切り出したシート材である。木製シート１０に用いる木材として、例えば、黒柿、黒丹、桐、カバ、ナラ、ケヤキ、桜、松、杉等である。また、木製シート１０の厚さは、糸で縫製でき、かつ、折り畳める程度の強度及び柔軟性の観点から０．１３ｍｍ以上０．１７ｍｍ以下の範囲であり、好ましくは、０．１３ｍｍ以上０．１６ｍｍ以下の範囲であり、より好ましくは、０.１３ｍｍ以上０．１５ｍｍ以下の範囲である。例えば、木製シート１０の厚みを０．１８ｍｍ以上とすると、折り畳める程度のしなやかさはなくなる。よって、木製シート１０の厚さを０．１３ｍｍ以上０．１７ｍｍ以下の範囲とすることが好ましい。
また、木製シート１０は、既知の方法により柔軟加工を施したものであってもよい。例えば、木製シート１０を柔軟加工するには、高分子化合物を木製シート１０の導管に含浸させてもよい。これにより、木製シート１０は、布のような柔軟性を獲得することができる。さらに、木製シート１０は、含浸させる高分子化合物により、防水性と耐腐食性を高めることができる。なお、木製シート１０は、本考案に係る天然木シートの一例である。
【００１５】
柔軟性基材２０は、一定の柔軟性を有する素材である。柔軟性基材２０は、木製シート１０に柔軟性を付与し、木製シート１０の感触を良くする。例えば、柔軟性基材２０は、不織布、メッシュ素材シート、又は発砲シートなどである。
【００１６】
以下、各実施例を説明する。
（実施例１）
図２は、木製合成シート１を用いた手提げ袋１００である。
図２に例示するように、手提げ袋１００は、本考案に係る包装体の一例であり、本例の手提げ袋１００は、エコバックの形状に組み上げられている。手提げ袋１００は、袋本体１１０と取手１２０とを有する。袋本体１１０及び取手１２０は、木製合成シート１により形成される。
袋本体１１０は、既知の方法により、木製合成シート１を用いて形成した袋体である。
例えば、袋本体１１０は、木製合成シート１を四角形の形状に裁断した２枚のシート材を重ねた状態で、天然繊維からなる糸により、３辺を縫合して形成される。縫合された袋本体１１０の縫い目は、木製合成シート１における木製シート１０の木目に対して斜めの方向に配置される。これにより、木製シート１０の木目に沿って裂けにくくなる。なお、袋本体１１０の構成は、これに限定するものではなく、襠を有してもよい。
取手１２０は、木製合成シート１を帯状に裁断して形成され、天然繊維からなる糸を用いて袋本体１１０に縫着され、袋本体１１０と一体となっている。
このように、手提げ袋１００は、木製合成シート１を用いることにより、折り畳んで携帯することができる。また、手提げ袋１００は、布のような柔軟性を有するため、洗濯機にて洗濯することもできる。さらに、手提げ袋１００の表面には、木製シート１０の木目が現れるため、木の質感及び匂いを有している。
【００１７】
（実施例２）
図３は、木製合成シート１を用いた書類整理ファイル２００である。
図３に例示するように、書類整理ファイル２００（以下ファイル２００と称呼する）は、書類Ｌを整理するための文具であり、本考案に係る包装体の一例である。ファイル２００は、例えば、木製合成シート１を四角形の形状に裁断した略同じ外形形状である２枚のシート材２１０Ａ及び２１０Ｂを重ねた状態で、天然繊維からなる糸により隣り合う２辺を縫合して形成される。これにより縫合されたファイル２００は、書類ホルダーの形状に組み上げられている。縫合されたファイル２００の縫い目は、木製合成シート１における木製シート１０の木目に対して斜めの方向に配置される。これにより、木製シート１０の木目に沿って裂けにくくなる。
このように、ファイル２００は、木製合成シート１を用いることにより、従来のポリプロピレン製のファイルのように柔軟性を備えることができると共に、折り畳めることも可能である。さらに、ファイル２００の表面には、木製シート１０の木目が現れるため、木の質感及び匂いを有している。
【００１８】
以上説明したように、上記実施例における木製合成シート１を用いた包装体によれば、折り畳める柔軟性を備える製品とすることができる。さらに、木の質感及び匂いが、製品の付加価値を高めてくれる。
また、上記実施例では、木製合成シート１を糸で縫合し包装体とする場合を説明したが、これに限定するものではなく、木製合成シート１を接着剤で接着し包装体としてもよい。
【００１９】
また、実施例１の手提げ袋１００において、全自動洗濯機による洗濯試験を行った。具体的には、洗い、すすぎ及び脱水を１サイクルとした洗濯実験を３０回行ったところ、破けなかったことを確認した。
また、実施例１の手提げ袋１００において、引張試験を行ったところ、耐荷重約１７ｋｇであったことを確認した。
【符号の説明】
【００２０】
１      木製合成シート
１０    木製シート
２０    柔軟性基材
１００  手提げ袋
１１０  袋本体
１２０  取手
２００  書類整理ファイル
【図１】
0003227188.tif 000003
【図２】
0003227188.tif 000004
【図３】
0003227188.tif 000005
【手続補正書】
【提出日】令和2年4月20日(2020.4.20)
【手続補正１】
【補正対象書類名】実用新案登録請求の範囲
【補正対象項目名】全文
【補正方法】変更
【補正の内容】
【実用新案登録請求の範囲】
【請求項１】
厚さ０．１７ｍｍ以下のシート状に切り出された天然木シートを重ねて周縁部で互いに縫合又は接着して構成された包装体。
【請求項２】
複数の前記天然木シートを互いに縫合して、手提げ袋の形状に組み上げられている
請求項１に記載の包装体。
【請求項３】
複数の前記天然木シートが、周縁部で互いに縫合されて、書類ホルダーの形状に組み上げられている
請求項１に記載の包装体。
【請求項４】
前記天然木シートの縫合には、天然繊維からなる糸が用いられている
請求項２又は３に記載の包装体。
【請求項５】
前記天然木シートの厚さは、０．１３ｍｍ〜０．１５ｍｍである
請求項２又は３に記載の包装体。
【請求項６】
縫合の縫い目は、前記天然木シートの木目に対して斜め方向に配置されている
請求項２又は３に記載の包装体。